(57)【要約】      （修正有）【課題】天然ムートンと同等またはそれ以上の毛密度を有し、且つ、経年使用によっても毛密度が低下しない高品質のフェイクムートンを提供する。【解決手段】多数本の天然ウール糸２が基布３の表面全面に稙設されてなる工場生産されるフェイクムートン１であって、基布３の表面から起毛させた毛長が２５ｍｍ以下である。基布３はポリエステル基布とすることが好ましい。【選択図】図１
0003196152.tif 000002
【実用新案登録請求の範囲】
【請求項１】
多数本の天然ウール糸が基布の全面に稙設されてなる工場生産されるフェイクムートンであって、毛密度が５以上であり、基布の一面から起毛させた毛長が２５ｍｍ以下であることを特徴とするフェイクムートン。
【考案の詳細な説明】
【技術分野】
【０００１】
本考案は、天然ムートンの保温性や感触などの優れた特性を有し且つ天然ムートンの欠点を克服した工場生産可能なフェイクムートンに関する。
【背景技術】
【０００２】
天然のムートンは、メリノ種の羊の毛皮をなめして貴化処理して得られるものであり、羊毛特有の優しい感触や優れた保温性などを有することが知られており、天然の毛皮の中では比較的安価に購入できることもあって、特に若い女性の間で人気が高い。しかしながら、一方では、天然素材であることから、羊の育った環境や加工工程によって、硬さ、毛の密度、色、毛質などが製品ごとに異なり、また、一つの製品でも場所によってばらつきがあり、一定の品質の製品を安定して製造・供給することが難しい。また、毛密度も羊の個体差によって大きく異なり、高密度の割合が非常に少ないため、高い毛密度を有する製品を安定供給することが困難である。その他、なめし処理においてクロムを用いるとその焼却時にきわめて毒性の強い六価クロムが発生して、作業者の健康や環境汚染が懸念されること、製造過程において殺菌のために高温洗浄を行うと革が収縮してしまうこと、原皮の日焼けなどによりダークカラーにしか染色できないものが多く、ライトカラーの製品が少ないためデザイン的な制約を伴うこと、製品が日焼けで大きく変色しやすいこと、通気性が悪いため適切な手入れを怠るとカビが生える場合があること、などの問題を抱えている。
【０００３】
このような背景から、特許文献１に記載されるようないわゆるフェイクファー（ライクファーなどとも呼ばれる）が提案・市販されているが、天然ムートンに代替し得る高品質のフェイクムートンはいまだに実用化されるには至っていない。この理由の一つは、天然素材であるウール繊維は一般に長くても３０〜４０ｍｍ程度の繊維長を有するにすぎないため、これを多数本束ねたウール糸を用いて毛足の長いフェイクムートンを製造すると、経年でウール糸が解れて繊維が抜け落ちてしまい、徐々に毛密度が低下することであった。
【０００４】
【特許文献１】特開平７−３０５２４９号公報
【考案の開示】
【考案が解決しようとする課題】
【０００５】
したがって、本考案が解決しようとする課題は、天然ムートンの保温性や感触などの優れた特性を有し且つ天然ムートンの欠点を克服した工場生産可能な高品質のフェイクムートンを提供することである。
【課題を解決するための手段】
【０００６】
この課題を解決するため、請求項１に係る本考案は、多数本の天然ウール糸が基布の表面全面に稙設されてなる工場生産されるフェイクムートンであって、毛密度が５以上であり、基布の表面から起毛させた毛長が２５ｍｍ以下であることを特徴とする。
【考案の効果】
【０００７】
請求項１記載の本考案によれば、天然ムートンと同等またはそれ以上の毛密度を有し、且つ、経年使用によっても毛密度が低下しない高品質のフェイクムートンを提供することができる。
【図面の簡単な説明】
【０００８】
【図１】本考案によるフェイクムートンの概略断面図である。
【図２】このフェイクムートンにおけるウール糸の稙設状態の一例を示す模式図である。
【考案を実施するための最良の形態】
【０００９】
本考案によるフェイクムートンは、図１に略示されるように、多数本の天然ウール糸２が基布３の表面全面に稙設されてなる工場生産されるフェイクムートンである。基布３は、ポリエステル、アクリル、ポリビニル。ポリアミドなどの合成繊維や、ウール、シルク、コットンなどの天然繊維で形成したものを用いることができるが、強度、耐熱性、コストなどの観点からポリエステル基布を用いることが好ましい。
【００１０】
このフェイクムートン１における天然ウール糸２の毛密度は５以上であり、好ましくは６以上、より好ましくは７以上である。天然ムートンの毛密度は７程度が限界であり、しかも毛密度が７クラスの天然ムートンは全体のわずか５％程度の収率にすぎず、毛密度６クラスで高級品の部類であり、毛密度５クラスのものも多く出回っていることから、本考案のフェイクムートン１が５以上の毛密度を有するものであれば、天然ムートンに匹敵する感触やファッション性を有することができ、６以上であれば高級品、７以上であれば最高級品に匹敵する。しかも、本考案のフェイクムートン１は工場生産されるものであるから、このような高級品ないし最高級品の毛密度を有するものも容易に且つ安定して生産することができる。
【００１１】
このフェイクムートン１における天然ウール糸２の毛長、すなわち基布３の表面から起毛させた毛長は２５ｍｍ以下である。従来技術に関連して既述したように、天然素材であるウール繊維は一般に長くても３０〜４０ｍｍ程度の繊維長を有するにすぎない短繊維であり、このウール短繊維を多数本撚って連続させることで所定長の天然ウール糸２を得ているが、本考案のフェイクムートン１では天然ウール糸２の毛長を２５ｍｍ以下に抑えているので、使用中に元々のウール短繊維が解けて抜け落ちることがなく、当初の毛密度を長期に亘って維持することができ、少なくとも、当初の毛密度が大幅に低下することを防止する。
【００１２】
このフェイクムートン１における天然ウール糸２の稙設状態の一例が図２に模式的に示されている。すなわち、多数本の天然ウール糸２を束ねた状態で所定のピッチで基布３に編み込み、基布３の裏面に樹脂接着層４を塗布形成してこれら多数本の天然ウール糸２の根元部分を基布３に固着することによって、図１のフェイクムートン１が形成される。これら多数本の天然ウール糸２は、根元部分では実質的に一つにまとまって樹脂接着層４により基布３の裏面側に固着されているが、２５ｍ以下の毛長で突出する毛先部分では一本一本が解けた状態になっているので、見かけ上の毛密度を大幅に増大させることができる。
【００１３】
本考案によるフェイクムートン１は、天然のムートンに比較して、以下のように優れた性能を有する。
【００１４】
毛密度を自在に設定することができ、普通品質の５程度のものから高級品質の６程度、あるいは最高級品質の７以上のものも容易に且つ安定して生産可能である。
【００１５】
製品全体の毛密度や毛質などを一定ないし均一にすることができ、製品ごとのばらつきや、一つの製品における場所ごとのばらつきがない。天然毛をそのまま使用するものではないので、リビやカーリーもない。
【００１６】
毛長を２５ｍｍ以下に抑えたので、使用中に元々のウール短繊維が解けて抜け落ちることがなく、当初の毛密度を長期に亘って維持することができ、少なくとも、当初の毛密度が大幅に低下することを防止する。
【００１７】
天然皮革を用いる場合に必要ななめし処理を行わないので、なめし剤にクロムを用いることによる健康被害や環境汚染の問題を考慮する必要がなく、安全に良質の製品を生産することができる。
【００１８】
ポリエステルなどの強度・通気性・耐熱性・耐久性・耐水性などの優れた物性を備えた材料で基布を形成することができ、異物が混入することもない。
【００１９】
水洗い可能で、繰り返しのクリーニングにも耐え、乾燥時間も早く、クリーニングによる収縮・硬化・脆化の恐れもない。また、動物臭や薬品臭をほとんど感じない製品とすることができる。
【符号の説明】
【００２０】
１  フェイクムートン
２  天然ウール糸
３  基布
４  樹脂接着層
【図１】
0003196152.tif 000003
【図２】
0003196152.tif 000004
【手続補正書】
【提出日】平成26年12月15日(2014.12.15)
【手続補正１】
【補正対象書類名】実用新案登録請求の範囲
【補正対象項目名】全文
【補正方法】変更
【補正の内容】
【実用新案登録請求の範囲】
【請求項１】
多数本の天然ウール糸が基布の全面に稙設されてなる工場生産されるフェイクムートンであって、基布の一面から起毛させた毛長が２５ｍｍ以下であることを特徴とするフェイクムートン。